(57)【要約】【課題】  日勤、夜勤の勤務時間帯の変更操作に、ナースコール親機での音量設定や液晶廊下灯のバックライト輝度変更を連動させることを可能して、別途設定操作を必要としないナースコールシステムを提供する。【解決手段】  日勤、夜勤等の勤務時間帯に応じて変更される携帯端末２の呼出先等の勤務時間帯情報を記憶するメモリ３０を制御機３に設け、ナースコール親機１により勤務時間帯を準夜勤或いは夜勤に変更操作が成されたら、メモリ３０に記憶された準夜勤或いは夜勤の勤務時間帯情報を取り出し、その情報に基づき携帯端末２の呼出先を変更すると共に、ナースコール親機１の呼出音を夜間モードに変更した。同時に、制御機３はベッド子機５の音量を夜間モードに変更する制御を行い、更に制御機３からの勤務時間帯変更信号を受けて液晶廊下灯４ｂはバックライト３６の輝度を夜間モードに変更した。【選択図】  図２
2005348149.tif 000002
【特許請求の範囲】
【請求項１】
患者からの呼び出しに応答するためのナースコール親機及び携帯端末と、患者が看護師を呼び出すためのベッド子機と、前記ベッド子機からの呼び出しを看護師に知らせるために病室毎に設けられた廊下灯と、前記ナースコール親機および前記廊下灯を制御する制御機と、を有するナースコールシステムであって、
日勤、夜勤等の勤務時間帯に応じて変更される前記携帯端末の呼出先情報を含む勤務時間帯情報を記憶する勤務時間帯情報記憶手段を有し、
前記ナースコール親機により前記勤務時間帯の変更操作が成された際に、前記勤務時間帯情報記憶手段に記憶された前記勤務時間帯情報に基づき前記呼出先情報等の変更が成されると共に、前記ナースコール親機又は前記ベッド子機の少なくとも何れか１つの音量も変更する制御をおこなう動作変更手段を備えたことを特徴とするナースコールシステム。
【請求項２】
前記廊下灯が液晶表示により患者情報を表示する液晶廊下灯である場合は、前記液晶廊下灯は、前記ナースコール親機による勤務時間帯の変更操作を受けて、前記液晶廊下灯を構成するバックライトの輝度を変更する廊下灯輝度変更手段を備えてなることを特徴とする請求項１記載のナースコールシステム。
【請求項３】
前記ナースコール親機、前記ベッド子機の音量を勤務時間帯変更操作に連動させて変更する機能を使用する／しないを設定する音量変更機能設定スイッチを有することを特徴とする請求項１記載のナースコールシステム。
【請求項４】
前記液晶廊下灯の前記バックライト輝度を勤務時間帯変更操作に連動させて変更する機能を使用する／しないを設定するバックライト輝度変更機能設定スイッチを有することを特徴とする請求項２記載のナースコールシステム。
【請求項５】
前記ナースコール親機は、前記音量が変更されたことを表示する表示部を有することを特徴とする請求項１又は請求項３記載のナースコールシステム。
【請求項６】
前記ナースコール親機は、前記液晶廊下灯の前記バックライト輝度が変更されたことを表示する表示部を有することを特徴とする請求項２又は請求項４記載のナースコールシステム。
【発明の詳細な説明】
【技術分野】
【０００１】
本発明は、ナースコールシステムに係り、特に、看護師の勤務時間帯の変更に合わせて各種動作設定を変更可能とするナースコールシステムに関する。
【背景技術】
【０００２】
ナースコールシステムは、通常ナースステーションに設置されて患者の呼び出しに応答するためのナースコール親機、各病床に設置されて看護師を呼び出すためのナースコール子機（ベッド子機）、病室毎に設置されて呼び出しが成されたことを病室前でも報知する廊下灯、各看護師が携帯してナースステーションに居なくても患者からの呼び出しに応答可能とするための携帯端末等から構成されている。このようなナースコールシステムは、患者が呼出操作をしたら、ナースコール親機が呼出音を報音するし、呼出操作が成されたナースコール子機側でも、呼出確認音が報音される。
【０００３】
ところで、看護師による患者の看護は、通常、日勤、準夜勤、夜勤の３つの勤務時間帯による体制が採られており、この体制が交代する度にそれぞれの患者に対応する看護師が異なる。そのため、携帯端末を備えたナースコールシステムでは、看護体制が変更される度に勤務時間帯変更操作が成され、看護師を呼び出すための携帯端末の呼出先等の勤務時間帯情報をその都度変更或いは入力していた。また、呼出音は、昼間に比べて夜間は小さくても問題ないし、小さい方が他の患者の迷惑にならないため、別途タイマー操作をして時間帯で呼出音や通話音量を設定していた（例えば、非特許文献１参照）。
一方、近年、廊下灯に液晶表示部を用いて患者情報を表示する液晶廊下灯が従来の廊下灯に代わり使用され始めている（例えば、特許文献１，２参照）。この液晶廊下灯は、ナースコール親機の操作で表示する患者名や患者の救護区分等を変更可能となっており、直接廊下灯の患者名を書き換えたりする必要がなくなるため、看護師の負担を軽減できるし、廊下灯での多様な表示が可能となり廊下灯の利便性も向上する。
【０００４】
【非特許文献１】株式会社ケアコム総合カタログ２００３／２００４  ｐ５５
【特許文献１】特開平１０−１９２３４９号公報
【特許文献２】特開２００３−２８３６８２号公報
【発明の開示】
【発明が解決しようとする課題】
【０００５】
このように、上記非特許文献１に示す従来のナースコールシステムの場合、時間帯により音量が変更されるので、患者に対して優しいシステムとなるが、設定操作が必要であり、作業者である看護師にとっては面倒な作業となっていた。
また、液晶廊下灯を備えたナースコールシステムにあっては、液晶表示部のバックライトは点灯後タイマーにより一定時間後に消灯したり、光量センサや人体検知センサを設けることで、自動で点滅するよう構成されているが、夜間の明るさを通常より暗くして点灯することはなく、夜間の明るさを調整しようとしたら、呼出音と同様に別途設定操作をしなければならなかった。
そこで、本発明はこのような問題点に鑑み、日勤、夜勤等の勤務時間帯の変更操作に、呼出音の音量変更や液晶廊下灯のバックライト輝度変更を連動させることを可能して、別途設定操作を必要としないナースコールシステムを提供することを目的とする。
【課題を解決するための手段】
【０００６】
上記課題を解決する為に、請求項１に記載の発明は、患者からの呼び出しに応答するためのナースコール親機及び携帯端末と、患者が看護師を呼び出すためのベッド子機と、ベッド子機からの呼び出しを看護師に知らせるために病室毎に設けられた廊下灯と、ナースコール親機および廊下灯を制御する制御機と、を有するナースコールシステムであって、日勤、夜勤等の勤務時間帯に応じて変更される携帯端末の呼出先情報を含む勤務時間帯情報を記憶する勤務時間帯情報記憶手段を有し、ナースコール親機により勤務時間帯の変更操作が成された際に、勤務時間帯情報記憶手段に記憶された勤務時間帯情報に基づき呼出先情報等の変更が成されると共に、ナースコール親機又はベッド子機の少なくとも何れか１つの音量も変更する制御をおこなう動作変更手段を備えたことを特徴とする。
この構成により、勤務時間帯の変更操作のみでナースコール親機、或いはベッド子機の音量の変更ができるので、変更操作を簡略化でき看護師の負担を軽減できる。
【０００７】
請求項２の発明は、請求項１に記載の発明において、廊下灯が液晶表示により患者情報を表示する液晶廊下灯である場合は、液晶廊下灯は、ナースコール親機による勤務時間帯の変更操作を受けて、液晶廊下灯を構成するバックライトの輝度を変更する廊下灯輝度変更手段を備えてなることを特徴とする。
この構成により、勤務時間帯の変更操作のみで液晶廊下灯の輝度を変更でき、看護師の負担を軽減でき利便性が向上する。
【０００８】
請求項３の発明は、請求項１に記載の発明において、ナースコール親機又はベッド子機の音量を勤務時間帯変更操作に連動させて変更する機能を使用する／しないを設定する音量変更機能設定スイッチを有することを特徴とする。
この構成により、ナースコール親機、或いはベッド子機の音量の変更機能を勤務時間帯変更に連動させないようにできるので、システム動作を設置状況に応じて好適に選択できる。
【０００９】
請求項４の発明は、請求項２に記載の発明において、液晶廊下灯のバックライト輝度を勤務時間帯変更操作に連動させて変更する機能を使用する／しないを設定するバックライト輝度変更機能設定スイッチを有することを特徴とする。
この構成により、ナースコール親機、或いはベッド子機の音量の変更機能に加えて液晶廊下灯の輝度変更機能を勤務時間帯変更に連動させないようにできるので、システム動作を設置状況に応じて更に好適に選択できる。
【００１０】
請求項５の発明は、請求項１又は請求項３記載の発明において、ナースコール親機は、音量が変更されたことを表示する表示部を有することを特徴とする。
この構成により、音量変更機能が作動中であることを容易に確認することができる。
【００１１】
請求項６の発明は、請求項２又は請求項４記載の発明において、ナースコール親機は、液晶廊下灯のバックライト輝度が変更されたことを表示する表示部を有することを特徴とする。
この構成により、輝度変更機能が作動中であることを容易に確認することができる。
【発明の効果】
【００１２】
本発明によれば、日勤、夜勤等の勤務時間帯変更操作に連動してナースコール親機での音量変更、液晶廊下灯のバックライト輝度変更等を行うので、特別な変更操作は不要であり、利便性が向上し、看護師の負担を軽減できる。
【発明を実施するための最良の形態】
【００１３】
以下、本発明を具体化した実施の形態を、図面に基づいて詳細に説明する。図１は、本発明に係るナースコールシステムの実施形態の一例を示すシステム構成図であり、１は患者からの呼び出しに応答するためのナースコール親機、２は個々の看護師が携帯して患者からの呼び出しに応答するための携帯端末、３は通話及びデータの送受を制御すると共に後述する液晶廊下灯の映像を制御する制御機、４は病室毎に設置される廊下灯、５は患者が看護師を呼び出すために各病床に設置されるベッド子機、５ａはマイク及びスピーカを備えて患者が通話をするための埋込型子機、６はトイレから看護師を呼び出すためのトイレ子機、７はＰＢＸ交換機、８は携帯端末２と通信するための無線基地局である。   
【００１４】
ナースコール親機１は、個々の患者情報を表示するエスカッション１０を備え、ＬＣＤ（液晶表示部）１１を有するＬＣＤ親機１ａと、パーソナルコンピュータ（以下ＰＣ）からなるＰＣ親機１ｂから成り、ＰＣ親機１ｂはＰＣモニタ画面としてＬＣＤ親機１ａに比べて大画面のＬＣＤ１３を備え、エスカッションをそのＬＣＤ１３に表示するよう構成されている。また、双方にハンドセット１４を備えた通話部が設けられている。
【００１５】
廊下灯４は、集合廊下灯４ａと液晶廊下灯４ｂとで構成され、集合廊下灯４ａは、病室内の個々の患者氏名が記入された記名プレートが取り付けられ、夫々の記名プレートには隣接して呼び出しを報知するランプや救護区分等の表示部が設けられている。また、液晶廊下灯４ｂは、ＬＣＤ１５を備え、呼出操作をした患者の氏名や看護情報等をＬＣＤ１５に表示するよう構成されている。尚、この液晶廊下灯４ｂの患者情報の設定は、ＰＣ親機１ｂから可能となっている。
【００１６】
図２は図１のシステムの要部ブロック図を示し、ナースコール親機１（１ａ，１ｂ）、制御機３、液晶廊下灯４ｂのブロック図を示している。図２に示すように、ナースコール親機１のうち一方のＬＣＤ親機１ａは、エスカッション１０、患者情報、看護情報等を表示するＬＣＤ１１に加えて、ＬＣＤ１１に文字や絵を表示するためのＬＣＤ駆動回路１６、患者からの呼び出しにより呼出音を報音するための呼出音発生回路１７、患者と通話をするためのハンドセット１４に備えたスピーカ／マイク（以下ＳＰ／ＭＩＣ）１８、通話回路１９と、ＬＣＤ１１を利用して各種入力をおこなうためのタッチパネル２０、各回路を制御するＬＣＤ親機ＣＰＵ２１、そして制御機３に接続するためのＬＣＤ親機インターフェイス（以下、ＬＣＤ親機ＩＦとする）２２を備えている。
【００１７】
また、他方のＰＣ親機１ｂは、ＬＣＤ１３に文字や絵を表示するためのＬＣＤ駆動回路２４、患者からの呼出により呼出音を報音するための呼出音発生回路２５、患者と通話をするためのハンドセット１４に備えたスピーカ／マイク（以下ＳＰ／ＭＩＣ）１８、通話回路１９、ＬＣＤ１３を利用して各種入力をおこなうためのタッチパネル２６、ＰＣ親機１ｂの各部を制御するＰＣ親機ＣＰＵ２７、そして制御機３に接続するためのＰＣ親機インターフェイス（以下、ＰＣ親機ＩＦとする）２８を備えている。ＰＣ親機１ｂでは、ＬＣＤ１３にエスカッションが表示され、また、患者情報、看護情報等も表示される。
そして、このように構成されたＬＣＤ親機１ａ、ＰＣ親機１ｂの双方から、勤務時間帯の変更操作を含む各種設定変更が実施可能となっている。
【００１８】
制御機３は、ナースコール親機１により入力された日勤、準夜勤、夜勤の看護師チーム情報等の勤務時間帯情報を記憶するメモリ３０、音量変更機能を使用する／しないを設定する音量変更機能設定スイッチとしての第１ＤＩＰスイッチ３１ａ、液晶廊下灯４ｂのバックライトの輝度変更機能を使用する／しないを設定する輝度変更機能設定スイッチとしての第２ＤＩＰスイッチ３１ｂ、制御機３各部を制御すると共に液晶廊下灯４ｂの出画映像を制御する制御機ＣＰＵ３２を備えている。第１ＤＩＰスイッチ３１ａをオン状態とすることで、勤務時間帯変更操作を受けてナースコール親機１の呼出音や呼出操作をした患者側の埋込型子機５ａで発せられる呼出確認音等の音量が予め設定したレベルに変更される。また、第２ＤＩＰスイッチ３１ｂをオン状態とすることで、勤務時間帯変更操作を受けて液晶廊下灯４ｂのバックライト輝度も予め設定したレベルに変更される。
【００１９】
液晶廊下灯４ｂは、ＬＣＤ１５の所定の位置に文字や絵を表示するためのＬＣＤ駆動回路３５、ＬＣＤ１５のバックライト３６、バックライト３６への電源供給を調整するためのＡＣインバータ３７、患者からの呼び出しを報知するための表示灯３８、液晶廊下灯４ｂの各部を制御する液晶廊下灯ＣＰＵ３９を有し、次のように動作する。
患者の呼び出し操作が無い待受状態では、バックライト３６が動作せず、ＬＣＤ１５には何も表示されていない。この状態において、患者からの呼び出しがあったら、廊下灯ＣＰＵ３９はバックライト３６を点灯して呼出操作をした患者情報、即ち患者の氏名及び救護区分、呼出種別等の看護情報をＬＣＤ駆動回路３５を介してＬＣＤ１５に表示させる。そして、ナースコール親機１等で応答が成されたら廊下灯ＣＰＵ３９はそれを検知して待受状態に戻る。また、液晶廊下灯４ｂに設けられているリセットボタン等（図示せず）を操作することでも、患者情報を表示し、所定時間経過すると、廊下灯ＣＰＵ３９はバックライト３６は消灯し、待ち受け状態に戻る。
【００２０】
このように構成されたナースコールシステムの動作を次に説明する。なお、ベッド子機５又はトイレ子機６からの呼出時におけるナースコール親機１又は携帯端末２での応答、通話等に関しては本発明の要部ではないので省略し、呼出音等の音量変更、液晶廊下灯の輝度変更を中心に説明する。
まず、設定変更操作に先立って、勤務時間帯情報を入力する。ＬＣＤ親機１ａから入力操作をする場合、タッチパネル２０とエスカッション１０（詳しくは、エスカッション１０の操作ボタン）を操作して、各患者に対して設定した日勤、準夜勤、夜勤の情報を含む受持看護師チームや携帯端末情報を入力する。この勤務時間帯情報入力操作により、勤務時間帯毎の携帯端末の呼出先情報を含む勤務時間帯情報が制御機３に送信され、勤務時間帯情報記憶手段としてのメモリ３０に記憶される。そして、この勤務時間帯情報を基に、勤務時間帯変更操作が成されたら、メモリ３０に記憶された夫々の勤務時間帯情報を基に呼出操作等の制御動作の変更が成される。例えば、日勤に設定された時にはメモリ３０に記憶された日勤用の情報を基に呼出操作等の制御動作し、夜勤に設定された時にはメモリ３０に記憶された夜勤用の情報を基に制御動作を行い、同時に呼出音等の音量変更、液晶廊下灯４ｂの輝度変更が成される。
尚、ＰＣ親機１ｂからでも勤務時間帯設定操作を行うことができ、ＬＣＤ１３にエスカッションを表示させることでＬＣＤ親機１ａと同様の操作で実施できようになっている。
【００２１】
具体的な音量等の変更動作を図３、図４のフローチャートを基に説明する。尚、ここでは日勤以外の勤務時間帯設定の場合、音量、輝度は夜間設定に変更されるようプログラムされている。
図３は音量設定を含む動作を示し、勤務時間帯の変更操作（Ｓ１）が成されたら、それが、日勤への変更操作であるか判断（Ｓ２）し、日勤への変更であれば、日勤チームの呼出先情報を読み出して設定変更（Ｓ３）する。そして、第１ＤＩＰスイッチ３１ａがオンであるか判断（Ｓ４）し、オンであれば呼出音等の音量を通常音量に設定変更（Ｓ５）し、通常音量に設定変更したことをＬＣＤ１１に表示（Ｓ６）させる。また、第１ＤＩＰスイッチ３１ａがオフであれば音量変更操作をしない。
Ｓ２で日勤の勤務体制への変更でなければ、設定した準夜勤或いは夜勤の何れか一方の呼出先情報を読み出して設定変更（Ｓ７）する。そして、第１ＤＩＰスイッチ３１ａがオンであるか判断（Ｓ８）し、オンであれば呼出音等の音量を夜間音量に設定変更（Ｓ９）し、夜間音量に設定変更したことをＬＣＤ１１に表示（Ｓ１０）させる。また、第１ＤＩＰスイッチ３１ａがオフであれば音量変更操作をしない。
【００２２】
図４は輝度設定を含む動作を示し、勤務時間帯の変更操作（Ｓ２１）が成されたら、それが、日勤への変更操作であるか判断（Ｓ２２）し、日勤への変更であれば、日勤チームの呼出先情報を読み出して設定変更（Ｓ２３）する。そして、第２ＤＩＰスイッチ３１ｂがオンであるか判断（Ｓ２４）し、オンであれば液晶廊下灯４ｂのバックライト輝度を通常輝度に設定変更（Ｓ２５）し、通常輝度に設定変更したことをＬＣＤ１１に表示（Ｓ２６）させる。また、第２ＤＩＰスイッチ３１ｂがオフであれば輝度変更操作をしない。
Ｓ２２で日勤の勤務体制への変更でなければ、設定した準夜勤或いは夜勤の何れか一方の呼出先情報を読み出して設定変更（Ｓ２７）する。そして、第２ＤＩＰスイッチ３１ｂがオンであるか判断（Ｓ２８）し、オンであれば液晶廊下灯４ｂのバックライト輝度を夜間輝度に設定変更（Ｓ２９）し、夜間輝度に設定変更したことをＬＣＤ１１に表示（Ｓ２１０）させる。また、第２ＤＩＰスイッチ３１ｂがオフであれば輝度変更操作をしない。
【００２３】
こうして、第１ＤＩＰスイッチ３１ａをオンさせておくことで、音量変更機能は勤務時間帯変更操作に連動し、日勤設定時ではナースコール親機１の患者からの呼び出し音量は通常音量となり、準夜勤或いは夜勤設定時には、ナースコール親機１の患者からの呼び出し音量は夜間モードに設定され、通常より小さい音量で呼び出しを報音し、夜間の音量を自動で下げる。
また、第２ＤＩＰスイッチ３１ｂをオンさせておくことで、輝度変更機能は勤務時間帯変更操作に連動し、液晶廊下灯４ｂは日勤設定時は通常の輝度で表示するし、準夜勤或いは夜勤設定時には、夜間モードに設定の輝度で表示し、夜間の輝度を自動で下げる。
【００２４】
そして、第１ＤＩＰスイッチ３１ａ、第２ＤＩＰスイッチ３１ｂがオン状態のとき、図５に示すように、ＬＣＤ親機１ａのＬＣＤ１１の所定位置Ｐに音量或いは液晶廊下灯の輝度が昼間設定状態であるか、夜間設定状態であるか表示される。ここでは、第１及び第２ＤＩＰスイッチ３１ａ，３１ｂの双方がオン状態で、夜間設定状態であることを表示している。  
【００２５】
このように、勤務時間帯の変更操作のみでナースコール親機の呼出音、ベッド子機側の呼出確認音の音量の変更及び液晶廊下灯の輝度の変更ができるので、変更操作を簡略化でき看護師の負担を軽減できるし、利便性が向上する。また設定変更をし忘れることもなくなる。
また、ＤＩＰスイッチをオフ操作すれば、ナースコール親機、或いはベッド子機の音量の変更機能や液晶廊下灯の輝度変更機能を勤務時間帯変更に連動させないようにできるので、システム動作を設置状況に応じて好適に選択できる。
更に、音量、液晶廊下灯の輝度の状態をナースコール親機に表示することで、変更機能が動作したことを看護師自身が目視で確認することができ、動作状態を把握し易い。
【００２６】
尚、上記実施形態では、制御機３に第１及び第２ＤＩＰスイッチ３１ａ，３１ｂを設けて、音量の変更制御、或いは輝度の変更制御を勤務時間帯変更操作に連動させる構成となっているが、ＤＩＰスイッチで実施される音量変更機能設定スイッチ、或いは輝度変更機能設定スイッチをナースコール親機１のタッチパネル２０，２６上に設けることも可能であり、そうすれば制御機３にスイッチを設ける必要がなくなる。
また、日勤以外の設定時に音量や輝度を夜間設定に変更しているが、夜勤の時のみ夜間設定としても良いし、呼出音と輝度を独立させて変更操作しても良い。但し、廊下灯４が全てＬＣＤを持たない集合廊下灯４ａの場合は、輝度変更操作は必要なくなる。
【図面の簡単な説明】
【００２７】
【図１】本発明に係るナースコールシステムの実施形態の一例を示す構成図である。
【図２】図１の要部ブロック図である。
【図３】音量変更動作の流れを示すフローチャートである。
【図４】輝度変更動作の流れを示すフローチャートである。
【図５】音量の状態、或いはバックライト照明の状態例を示す図である。
【符号の説明】
【００２８】
１・・ナースコール親機、１ａ・・ＬＣＤ親機、１ｂ・・ＰＣ親機、３・・制御機、４・・廊下灯、４ｂ・・液晶廊下灯、５・・ベッド子機、６・・トイレ子機、１０・・エスカッション、１１，１３・・ＬＣＤ、１５・・ＬＣＤ、１６・・ＬＣＤ駆動回路、２１・・ＬＣＤ親機ＣＰＵ、２７・・ＰＣ親機ＣＰＵ、３０・・メモリ、３１・・ＤＩＰスイッチ、３１ａ・・第１ＤＩＰスイッチ、３１ｂ・・第２ＤＩＰスイッチ、３２・・制御機ＣＰＵ、３６・・バックライト、３９・・液晶廊下灯ＣＰＵ。
【図１】
2005348149.tif 000003
【図２】
2005348149.tif 000004
【図３】
2005348149.tif 000005
【図４】
2005348149.tif 000006
【図５】
2005348149.tif 000007